(57)【要約】【課題】チャット等の双方向通信で盛り上がったテーマを放送しているＴＶ局にチューニングできるＴＶ受信機等を提供する。【解決手段】本発明のＴＶ受信機は、双方向通信での書込みを処理する第１のネットワーク処理部（１２）とＴＶ実況サービスでの書込みを処理する第２のネットワ−ク処理部（１３）と、２つのネットワーク処理部から得られたデータの類似度を求める類似度算出部（１４）を有しており、双方向通信で盛り上がった話題と同じ話題を放送しているＴＶ局に自動的にチューニングできるようにしている。【選択図】図１
2014053744.tif 000002
【特許請求の範囲】
【請求項１】
インターネットへのアクセスを行いインターネットから入手した情報を処理するインターネット接続処理部を備え、インターネットから得られた情報に従って受信するテレビ局を選局可能としたテレビ受信機制御システムであって、
前記インターネット接続処理部は、双方向通信からの情報を受信し整理する第１のネットワーク処理部と、テレビ実況サービスからのテレビ局毎の情報を受信し整理する第２のネットワーク処理部と、前記第１のネットワーク処理部から得られた情報と、前記第２のネットワーク処理部から得られたテレビ局毎の情報との類似度を算出する類似度算出部とを備え、
前記類似度算出部から出力される類似度によって受信するテレビ局を自動的に選局可能としたことを特徴とするテレビ受信機制御システム。
【請求項２】
前記第１のネットワーク処理部は、双方向通信において書込みのあった単語を使用頻度の高い順に整理して、使用頻度の高い順から所定数の単語を出力するものであり、
前記第２のネットワーク処理部は、テレビ実況サービスにおいてテレビ局毎に書込みのあった単語を使用頻度の高い順に整理して、使用頻度の高い順から所定数の単語を出力するものであり、
前記類似度算出部は、第１のネットワーク処理部から得られた所定数の単語と、第２のネットワーク処理部から得られたテレビ局毎の所定数の単語とを比較して、テレビ局毎に第１のネットワーク処理部から得られた所定数の単語との類似度を算出し、比較するものであることを特徴とする請求項１に記載のテレビ受信機制御システム。
【請求項３】
前記第１のネットワーク処理部では、双方向通信において書込みのあった単語を使用頻度の高い順に整理して、使用頻度の高い順から所定数の単語を出力するものであり、
前記第２のネットワーク処理部では、テレビ実況サービスにおいてテレビ局毎に書込みのあった単語を使用頻度の高い順に整理して、使用頻度の高い順から所定数の単語を出力するものであり、
前記類似度算出部では、第１のネットワーク処理部から得られた所定数の単語の内、操作者によって指定された少なくとも１つの単語と、第２のネットワーク処理部から得られたテレビ局毎の所定数の単語とを比較して、テレビ局毎に第１のネットワーク処理部から得られた前記操作者によって指定された単語との類似度を算出し、比較するものであることを特徴とする請求項１に記載のテレビ受信機制御システム。
【請求項４】
前記第１のネットワーク処理部及び前記第２のネットワーク処理部では、書込みのあった単語の抽出を所定の時間毎に更新するものであることを特徴とする請求項２または３に記載のテレビ受信機制御システム。
【請求項５】
前記類似度算出部によって得られた類似度に対して所定の閾値を設け、類似度が前記閾値以上の場合に受信する局の変更を行うことを特徴とする請求項１から４のいずれか一項に記載のテレビ受信機制御システム。
【請求項６】
インターネットへのアクセスを行いインターネットから入手した情報を処理するインターネット接続処理部を備え、インターネットから得られた情報に従って受信するテレビ局を選局可能としたテレビジョン受信機制御方法であって、
前記インターネット接続処理部は、双方向通信からの情報を受信し整理する第１のネットワーク処理部と、テレビ実況サービスからのテレビ局毎の情報を受信し整理する第２のネットワーク処理部と、前記第１のネットワーク処理部から得られた情報と、前記第２のネットワーク処理部から得られたテレビ局毎の情報との類似度を算出する類似度算出部とを備え、
前記類似度算出部から出力される類似度によって受信するテレビ局を自動的に選局可能としたことを特徴とするテレビ受信機制御方法。
【請求項７】
請求項１から５のいずれか一項に記載のテレビ受信機制御システムを備えたテレビ受信機。
【請求項８】
双方向通信における書込み内容を、表示画面の一部に表示させることを特徴とする請求項７に記載のテレビ受信機。
【請求項９】
請求項６に記載のテレビ受信機制御方法の各ステップを、コンピュータに実行させるためのテレビ受信機制御プログラム。
【発明の詳細な説明】
【技術分野】
【０００１】
本発明は、チャット等に代表される双方向通信で最も活発な議論になっているテーマに関する放送を検出し、当該テーマに関係した放送を行っている放送局に、自動的にチューニングできるようにしたテレビ受信機制御システム、テレビ受信機制御方法、テレビ受信機制御プログラムに関し、更に、当該テレビ受信機制御システムを用いたテレビ受信機に関する。
【背景技術】
【０００２】
現在、インターネットが普及し、多くの人がインターネットを利用している。インターネットの利用目的には、ウエブページの閲覧等による各種の情報収集の外、電子メールの送受信や電子掲示板による他者とのコミュニケーション等がある。電子掲示板は、ＢＢＳ（Bulletin Board System）とも呼ばれ、電子メールのような１対１のコミュニケーションではなく、１対多のコミュニケーションを可能とするものである。あるユーザーがＢＢＳにメッセージを書込むと、そのメッセージは、ＢＢＳサーバにアクセス可能な不特定の多数のユーザーに見えるようになる。それを見た他のユーザーは、そのメッセージに対して更にコメント等を書込むことができる。このコメントも他のユーザーに公開される。
【０００３】
ＢＢＳは、非常に多くのユーザーが多種多様な話題についてメッセージの書込みを行うため、話題やテーマ毎に別々の掲示板が設定されており、ユーザーは自分の目的に応じて特定の掲示板を探し出し、他のユーザーの書込み内容を閲覧したり、自らメッセージを書込んだりして情報の交換や情報の共有化を図っている。
【０００４】
ＢＢＳに設定されるテーマの１つに、テレビ放送局から配信されるテレビジョン放送の番組内容がある。特に、現在放送中の番組についての感想などを書込むことができる掲示板（テレビ実況掲示板）では、注目されている番組があると、この番組の掲示板に大勢の人がメッセージを書込みに行くことから、書込みの状況（量）を知ることによって、どの番組が一番の人気番組であるかを知ることができる。テレビ局では、このような掲示板をテレビ実況サービス等（双方向通信ではない）として誰でもアクセスできるようにしている。
【０００５】
更に、近年、上述のテレビ実況サービスを用いてテレビ番組に関する情報交換を行うことに加え、テレビを視聴中、パソコンやスマートフォンを利用してチャットやツイッター（twitter）によって、テレビ番組について複数ユーザーでコメントして楽しむ利用方法が広がってきている。
【０００６】
特許文献１には、テレビ受信装置にインターネット接続機能を付加して前述のテレビ実況サービスにアクセス可能とし、最も人気のある放送局を自動的に同調（選択）することができるようにしたテレビ受信装置が示されている。
【０００７】
図１０は、特許文献１に示されたテレビ受信装置の例を示している。図において、１はテレビ受信装置であり、回線終端装置５を介してインターネット３に接続されている。テレビ受信装置１は、インターネット上に公開されている第１掲示板サーバ２ａ〜第ｎ掲示板サーバ２ｎにアクセス可能であるが、各第１掲示板サーバ２ａ〜第ｎ掲示板サーバ２ｎは、それぞれ各放送局のＴＶ実況サービスであり、このＴＶ実況サービスにアクセスすることによって、どの番組が、現在放送中の番組の中で一番人気が有る番組であるかを推定することになる。そして、推定の結果に従って、その番組名をテレビ受信機１の表示画面に表示させ、或いは小画面でその番組自体を表示することができる。
【先行技術文献】
【特許文献】
【０００８】
【特許文献１】特開２００７−６０３０５号公報（２００７年３月８日公開）
【発明の概要】
【発明が解決しようとする課題】
【０００９】
特許文献１に開示の発明によれば、放送中の番組の中で人気のある番組を推定し、その番組を視聴することができる。然しながら、前述の人気番組の推定は、テレビ実況サービスの枠内での人気度の推定であり、必ずしも、広く世間一般で話題になっている番組と一致しているとは限らない。即ち、テレビ視聴者の全員がテレビ実況サービスにアクセスする訳ではなく、テレビ実況サービスでの人気がそのまま世間一般の視聴状況を示しているわけではない。特に、最近、インターネット上では、Ｓｋｙｐｅに代表されるような、チャット／音声等の双方向通信機能を利用した情報交換が盛んであり、若い人はむしろこのようなチャット等によって意見交換・情報交換する場合が多いとも言われており、テレビ実況サービスのみが広く世間一般における番組の人気度又は盛り上がりを反映しているとは言えない状況にある。
【００１０】
図１１、図１２は上述の状況を説明している。図１１（ａ）に示すとおり、特定の視聴者が野球を放送しているテレビ局Ａを視聴しており、この時のテレビ実況サービスでの視聴者等による書込みの状況が図１２（ａ）に示されているものとする。図１２（ａ）に示すとおり、テレビ実況サービスの中で、テレビ局Ｂで放送している台風に関する書込みが一番多いと、特許文献１に示された従来技術では、図１１（ｂ）に示すように、テレビ受信機を自動的にテレビ局Ａからテレビ局Ｂにチューニングすることになる。そして、この場合、図１２（ｂ）に示すチャット内での一番人気の話題が「野球」であったとしても、チャット内での盛り上がりは全く無視されることになる。
【００１１】
また、双方向通信を利用中のユーザーが、何らかの方法で現在話題のテレビ番組があることを知ったとしても、そのテレビ番組を視聴するためにはリモコン操作等が必要であり、更には、リモコン操作のためには放送中のチャンネル、現在放送中か否かの情報を有していることが必要になる。更に、仮に、双方向通信のデータを分析してテレビ受信機を自動選局したとしても、双方向通信での書込み内容自体が、テレビ番組に関するものであるとは限らないため、誤った番組に自動選局する可能性もある。
【００１２】
本発明は、上記の課題を解決するためになされたものであり、その主たる目的は、より世間で話題になっているテーマに近い番組を放送している放送局に自動的にチューニングできるようにしたテレビ受信機制御システム、テレビ受信機制御方法、テレビ受信機制御プログラムを提供し、更には、当該テレビ受信機制御システムを用いたテレビ受信機を提供することである。
【００１３】
既に述べたとおり、最近、インターネット上では、Ｓｋｙｐｅに代表されるような、チャット／音声等の双方向通信機能を搭載した情報交換が盛んであり、また、各種の所謂ソーシャルネットワーキングサービスが行われており、このサービスを介したチャットが盛んである。また、最近、インターネットアクセス機能が付加されたテレビ受信機が徐々に普及しており、これらインターネットアクセス機能を有するテレビ受信機では、上記のようなテレビ実況サービスからの情報収集、或いはチャット等の双方向通信からの情報の収集が可能となっている。
【００１４】
テレビ実況サービスは、テレビ局で放送された番組に対して、或いは現在放送中の番組に対してコメントするものであり、言わば、予め話題（テーマ）がそれなりに決められていて、そのテーマに対して一方的にコメントするものである。
【００１５】
一方、チャットは、リアルタイムにメッセージをやり取りするもの（双方向の通信をおこなうもの）であり、取り上げられるテーマも予め決められているものではなく、言わば自然発生的に話題となったものである。そして、皆が興味のあるテーマであれば自然に議論が盛り上がり、誰も興味を示さないテーマであれば自然に消滅する。取り上げられる話題（テーマ）の中には、当然、今テレビ局より放送中のテレビ番組に関するものも含まれている。
【００１６】
従って、このようなチャットから得られる情報を分析すれば、より広い観点で、或いは、テレビ実況サービスとは別の観点で、今、世間で何が話題になっているのか、或いは何が問題になっているかを知ることができる。本発明では、このような点を考慮し、より広く世間一般で話題になっている話題（テーマ）を扱うテレビ局からのテレビ放送を視聴できるようにしたテレビ受信機等を提供するものである。
【課題を解決するための手段】
【００１７】
上記の課題を解決するために、本願の発明に係るテレビ受信機制御システムでは、
インターネットへのアクセスを可能とするインターネット接続処理部を備え、インターネットから得られた情報に従って受信するテレビ局を選局可能としたテレビ受信機制御システムであって、
前記インターネット接続処理部は、双方向通信からの情報を受信し整理する第１のネットワーク処理部と、テレビ実況サービスからのテレビ局毎の情報を受信し整理する第２のネットワーク処理部と、前記第１のネットワーク処理部から得られた情報と、前記第２のネットワーク処理部から得られたテレビ局毎の情報との類似度を算出する類似度算出部とを備え、
前記類似度算出部から出力される類似度によって受信するテレビ局を自動的に選局可能としたことを特徴としている。
【００１８】
更に、上記の課題を解決するために、本願の発明に係るテレビ受信機制御方法では、
インターネットへのアクセスを行いインターネットから入手した情報を処理するインターネット接続処理部を備え、インターネットから得られた情報に従って受信するテレビ局を選局可能としたテレビジョン受信機制御方法であって、
前記インターネット接続処理部は、双方向通信からの情報を受信し整理する第１のネットワーク処理部と、テレビ実況サービスからのテレビ局毎の情報を受信し整理する第２のネットワーク処理部と、前記第１のネットワーク処理部から得られた情報と、前記第２のネットワーク処理部から得られたテレビ局毎の情報との類似度を算出する類似度算出部とを備え、
前記類似度算出部から出力される類似度によって受信するテレビ局を自動的に選局可能としたことを特徴としている。
【発明の効果】
【００１９】
本発明は、双方向通信で盛り上がっている話題（テーマ）と同一の話題（テーマ）を放送しているＴＶ局を抽出し、当該ＴＶ局に自動的にチューニングできるという効果を奏する。
【図面の簡単な説明】
【００２０】
【図１】本発明の一実施形態に係るテレビ受信機制御システムの構成を説明するための図である。
【図２】本発明の一実施形態に係るテレビ受信機制御方法を説明するためのフローチャートである。
【図３】ＴＶ実況サービスからの単語抽出の例を示す図である。
【図４】双方向通信からの単語抽出の例を示す図である。
【図５】類似度計算と選局するＴＶ局決定方法の１例を示すフローチャートである。
【図６】類似度計算の例（ＴＶ局Ａ分）を示す図である。
【図７】類似度計算の例（ＴＶ局Ｂ分）を示す図である。
【図８】閾値の決定とＴＶ局選局の例を示す図である。
【図９】従来のテレビ受信装置と本発明に従ったテレビ受信機の動作を比較した図である。
【図１０】従来のテレビ受信装置を示す図である。
【図１１】従来技術での自動選局の状況を示す図である。
【図１２】ＴＶ実況サービスと双方向通信での交信状況を示す図である。
【発明を実施するための形態】
【００２１】
本発明の１実施形態に係るテレビ受信機（以下、ＴＶ受信機とも記載する。）制御システム、ＴＶ受信機制御方法、テレビ受信機制御用プログラム及び前記テレビ受信機制御システムを用いたＴＶ受信機について、図１〜図９を参照して説明する。なお、以下の説明では本発明を実施するために好ましい種々の限定が付加されているが、本発明の技術的範囲は以下の実施形態及び図面の記載に限定されるものではない。
〔ＴＶ受信機の構成〕
本発明に係るＴＶ受信機制御システムを採用したＴＶ受信機の１実施形態について、図１を参照して説明する。
【００２２】
図１において、１は本発明に従ったＴＶ受信機の全体を示しており、ＴＶ受信機１は、インターネット接続処理部１０、ＴＶ受信部２０を有している。
【００２３】
インターネット接続処理部１０は、本発明に従ったＴＶ受信機１をインターネットのネットワーク３０にアクセス可能とするものであり、インターネットのネットワーク３０内で流通している各種の情報を収集し、又はインターネットのネットワークに情報を発信する。インターネットのネットワーク３０には、多くのパソコン（ＰＣ）３１が接続されている外、携帯電話等の携帯端末３２、更には、インターネット接続機能を有するＴＶ受信機３３などが接続されている。
【００２４】
更に、インターネット接続処理部１０は、ネットワーク接続部１１と、チャットに代表される双方向通信からの情報を収集し整理する第１のネットワーク処理部１２と、ＴＶ実況サービスからの情報を収し、テレビ局毎に整理する第２のネットワーク処理部１３と、前記第１のネットワーク処理部１２、第２のネットワーク処理部１３からのデータを記憶する記憶部１４と、類似度算出部１５を有している。
【００２５】
第１のネットワーク処理部１２は、詳細は後で述べるが、チャット等の双方向通信において交わされた文章を解析し、文章中から主に名詞等の単語を抽出して使用頻度の高い順に整理するものである。なお、使用頻度の高い順に並べられた幾つかの単語から、チャット等において最も盛り上がっている話題（テーマ）が類推できる。
【００２６】
第２のネットワーク処理部１３は、後で詳細を説明するとおり、第１のネットワーク処理部１２と同様の機能ではあるが、テレビ放送局（以下、ＴＶ局とも記載する。）毎に、テレビ実況サービス（ＴＶ実況サービス）において視聴者等が書込んだ文章を解析して、文章中から名詞等の単語を抽出し、使用頻度の高い順に整理するものである。なお、使用頻度の高い順に並べた幾つかの単語を調べることにより、各ＴＶ局の放送内容を類推することができる。
【００２７】
類似度算出部１５の動作については、後で詳細に説明するが、「第１のネットワーク処理部１２から得られた使用頻度の高い複数の単語（単語群）」と、「第２のネットワーク処理部１３において、ＴＶ局毎に得られた使用頻度の高い複数の単語（単語群）」とを比較し、ＴＶ局毎に、前記「第１のネットワーク処理部１２から得られた使用頻度の高い単語群」との類似度を算出する。そして、最も類似度の高いテレビ放送を行っているＴＶ局を推定する。
【００２８】
なお、以上の説明では、インターネット接続処理部１０が有する機能として、インターネットのネットワーク３０からの情報収集と収集した情報を整理・加工することに関する機能を中心に述べてきたが、一般のパソコン等の場合と同様、図１では記載されていないキーボード等（リモコンを含む）の入力機器を使用して、インターネットのネットワーク３０に対して自ら情報を発信することもできるものである。
【００２９】
ＴＶ受信部２０は、通常のＴＶ受信機と同様、チュナー部２１、映像・音声デコード部２２、映像・音声処理部２３、液晶表示装置等よりなる表示パネルへ映像を出力し、且つスピーカへ音声を出力するパネル・スピーカ出力部２４を有しており、更に、前記類似度算出部１５からの出力を受けて前記チュナー部２１を制御する自動選局処理部２５を有している。
【００３０】
ＴＶ受信部２０のチュナー部２１は、自動選局処理部２５からの制御により、自動的に特定のＴＶ局にチューニング可能とされているが、後で詳細を説明するとおり自動選局処理部２５は前記類似度算出部１５からの出力によって選局すべきＴＶ局が指定されており、これによれば、極めて高い確率で自動的にチャット等の双方向通信において最も議論の盛り上がっているテーマを放送しているＴＶ局にチューニングされることになる。
〔ＴＶ受信機制御システムの動作の概要〕
図２は、本発明に係るＴＶ受信機制御システムの動作の概要を示すフローチャートである。
【００３１】
図２に示すとおり、テレビ視聴中にユーザーがリモコン等を操作することによって、本発明に係るＴＶ受信機制御システムをスターとさせると、先ず、テレビ実況サービス（ＴＶ実況サービス）より情報を収集（取得）し、単語の抽出を行い、単語の出現頻度に従って整理を行う（ステップ１）。単語抽出のための情報収集は、予め決められた所定の時間、例えば、１〜５分程度の期間に渡って行い、その期間で収集した情報の中から単語を抽出し、頻度順に整理する。
【００３２】
次いで、同様、双方向通信からの情報を収集（情報取得）し、単語の抽出を行い、単語の出現頻度に従って整理を行う（ステップ２）。単語抽出のための情報収集は、予め決められた所定の時間、例えば、１〜５分程度の期間に渡って行い、その期間で収集した情報の中から単語を抽出し、頻度順に整理する。この場合、双方向通信からの情報収集期間を、テレビ実況サービスからの情報収集期間より長く設定しても良い。これは、一般の双方向通信では、通常多種多様のテーマについて書込みがあることが予想され、書込まれた単語の頻度を見るためには、多少長い時間が必要になる場合があるためである。図２（ａ）では、双方向通信における単語の抽出期間を（ｎ＋ａ）として、テレビ実況サービスでの抽出期間ｎより長めに設定しても良いことを示している。なお、テレビ実況サービスからの情報収集を先に行わずに双方向通信からの情報収集を先に行っても良い。
【００３３】
単語の抽出・整理が終了した後で、テレビ実況サービスから得られたＴＶ局毎の抽出単語と双方向通信サービスからの抽出単語を比較し、ＴＶ局毎に双方向通信サービスからの抽出単語との類似度を計算する（ステップ３）。具体的な類似度計算のやり方等については、図６、図７を用いて後で詳細に説明する。
【００３４】
ＴＶ局毎の類似度を求めた後、最大の類似度のＴＶ局を選択し（ステップ４）、このＴＶ局の類似度が、所定の閾値以上であることを確認（ステップ５）し、所定の閾値を越えていた場合、このＴＶ局に自動的にチューニング（ステップ６）し、処理を終える。複数のＴＶ局で同じ類似度になった場合の処理は、いずれか１つのＴＶ局が選ばれるように適宜定めておくことになるが、例えば、チャンネル番号の小さいＴＶ局を優先するように定めておいても良いし、或いは番組の残り時間が多いほうを優先して選択するように構成しても良い。
【００３５】
最大類似度のＴＶ局の類似度が所定の閾値を越えていない場合には、ステップ１に戻り、次いで、ステップ２、ステップ３、ステップ４、ステップ５を繰り返すことになる。即ち、一回の情報収集では、何が最も議論が盛り上がっている話題であるか判別することが困難な場合もあり、また、逆に、双方向通信で最も盛り上がっているテーマに関して、テレビ実況サービスから収集した情報の中から発見できない場合もある。
【００３６】
勿論、テレビ実況サービスから抽出・整理した単語の中から、双方向通信で抽出・整理した単語と共通の単語が見つからない場合、同じ話題（テーマ）のテレビ放送が無い場合であることも考えられるが、データ（収集した単語）を更新して異なる期間のデータに更新することで同じ話題の放送局を発見できることもある。
【００３７】
なお、単語の抽出・整理を、予め決められた所定の間隔（ｎ分単位）で行うこととして、ｎ分後に強制的に取得データ（単語の抽出・整理）の更新を行っても良い。この場合には、実際に盛り上がっている話題との時間的なずれを少なくすることができ、チャットにおける最も盛り上がった話題が変更される毎に、自動的に視聴する番組を変更することも可能となる。また、ｎ分間隔で取得データの更新を行う場合は、特定のＴＶ局に自動的にチューニングされた後でも、更に別のＴＶ局に自動的にチューニングされることもあり、より即時性のあるＴＶ視聴を楽しむことができる。
【００３８】
以上の説明では、「テレビ視聴中にユーザーがリモコン等を操作することによって、本発明に係るＴＶ受信機制御システムをスターとさせる」ことを前提としているが、本発明では、「本発明に係るＴＶ受信機制御システム」を備えたＴＶ受信機１のスイッチオンと同時に「本発明に係るＴＶ受信機制御システム」を起動し、「類似度の高いＴＶ局への自動チューニングの実行」のみをユーザーからの指示によって行うように構成しても良い。
【００３９】
即ち、ＴＶ受信機１のスイッチオンと同時に、本発明に従ったＴＶ受信機制御システムを起動し、ＴＶ受信機１の動作中、常時、図２における「ステップ１」から「ステップ４」までを動作させておき、常時データの更新を行う。そして、視聴者（ユーザー）からの指示があった場合に、ステップ５を実行する。この場合には、「ＴＶ実況サービスからの情報取得」及び「双方向通信からの情報取得」は、当然、所定の間隔（ｎ分毎）で行い、常に、取得データの更新（所定間隔毎の単語の抽出・整理の実行）を行っておく必要がある。
【００４０】
この場合には、視聴者がリモコン等の操作を行うと、極めて短時間の内に自動的に新たなＴＶ局へのチューニングが実行されることになり、快適な使用感が得られる。
〔類似度計算のための単語抽出と単語整理の例〕
図３には、テレビ実況サービスからの単語抽出の具体例が示されており、図４には、双方向通信からの単語抽出の具体例が示されている。
【００４１】
図３に示すとおり、ＴＶ局Ａからは、例えば、ストライク：２９回、ボール：１２回、ピッチャー：１０回、バッター：７回、ファースト：５回、ホームラン：５回というデータが得られたものと仮定する。即ち、６つの単語と、６つの単語のそれぞれに対する使用頻度（抽出頻度）が得られたとものとし、また、ＴＶ局Ｂからは、台風：２３回、野球：１０回、暴風：６回、中止：３回、電車：２回、停電：２回というデータが得られ、ＴＶ局Ｃからは、歌謡曲：２２回、音楽：１５回、ピアノ：１０回というデータが得られたものとする。
【００４２】
また、図４に示すとおり、双方向通信からは、ピッチャー：１２回、ストライク：８回、野球：５回、バッター：３回、台風：２回、暴風：２回というデータが得られたものとする。なお、実際には頻度が１の他の単語も多数抽出されることとなるが、ここでは煩雑になることを避けるため上記のようなデータが得られたものと仮定している。
【００４３】
図５は、類似度の計算方法を説明するためのフローチャートであり、図６は、双方向通信とＴＶ局Ａとの類似度計算のための単語整理方法と具体的な類似度計算方法を説明するための図であり、図７は、双方向通信とＴＶ局Ｂとの類似度計算のための単語整理方法と具体的な類似度計算方法を説明するための図である。
【００４４】
以下に、図６、図７を参照しつつ、図５のフローチャートを用いて、抽出単語の整理方法と、類似度の計算方法を説明する。なお、以下に説明する類似度の計算方法は、説明が複雑になることを避けるため、極めて単純化されているが、本願発明は、以下に説明した類似度計算方法に限定されるものではない。類似度の計算方法自体は多く提案されており、本願の発明において、それらの計算方法を採用できることは言うまでも無い。
【００４５】
先ず、双方向通信の情報から抽出した単語の内、使用頻度の高い順から３個の単語を選択する（ステップ１１）。図４に示した例を用いれば、「ピッチャー」、「ストライク」、「野球」の３つの単語が得られる。同様、テレビ実況サービスの情報から抽出した単語のうち、使用頻度の高い順から３個の単語を、それぞれのＴＶ局毎に選択する（ステップ１１）。図３に示した例を用いれば、ＴＶ局Ａに対しては、「ストライク」、「ボール」、「ピッチャー」の３つの単語が得られることになり、ＴＶ局Ｂに対しては、「台風」、「野球」、「暴風」の３つの単語が得られることになり、ＴＶ局Ｃに対しては、「歌謡曲」、「音楽」、「ピアノ」が得られることになる。なお、以上に述べた例では、双方向通信からの単語の選択を始めに行うように説明したが、逆の順序であってもよい。
【００４６】
次いで、ステップ１１で抽出された単語（ワード）について、上位のものから順にそれぞれ、３点、２点、１点と持ち点を付与する（ステップ１２）。図６（ａ）、図７（ａ）には、上述の（１）使用頻度が高い順から上位３つの単語を選出し、（２）３つの単語のそれぞれに、上位から３点、２点、１点の持ち点を付与した様子が示されている。
【００４７】
即ち、図６（ａ）には、双方向通信における場合及びＴＶ局Ａにおける場合のそれぞれについて、使用頻度の高い３個の単語と、３個の単語に対して持ち点を付与した様子が示されており、同様、図７（ａ）には、双方向通信における場合及びＴＶ局Ｂにおける場合のそれぞれについて、使用頻度の高い３個の単語と、３個の単語に対して持ち点を付与した様子が示されている。
【００４８】
具体的には、図６（ａ）に示すとおり、双方向通信について、単語「ピッチャー」に３点、単語「ストライク」に２点、単語「野球」に１点の持ち点が付与される。また、ＴＶ局Ａについて、単語「ストライク」に３点、単語「ボール」に２点、単語「ピッチャー」に１点の持ち点が付与される。また、図７（ａ）に示すとおり、双方向通信について、図６（ａ）で説明したと同様、単語「ピッチャー」に３点、単語「ストライク」に２点、単語「野球」に１点の持ち点が付与され、ＴＶ局Ｂについて、単語「台風」に３点、単語「野球」に２点、単語「暴風」に１点の持ち点が付与される。
〔類似度の計算例〕
次いで、双方向通信において抽出された３個の単語（ワード）と各ＴＶ局において抽出された３個の単語（ワード）を比較して、共通した単語（ワード）を、ＴＶ局毎に抽出する（ステップ１３）。
【００４９】
図６（ａ）に示したＴＶ局Ａに関しては、共通した単語として、「ピッチャー」と「ストライク」があることが分かり、図７（ａ）に示したＴＶ局Ｂに関しては、「野球」が共通した単語であることが分かる。また、ＴＶ局Ｃ共通した単語はない。
【００５０】
次いで、前述の持ち点の付与と上記の説明の共通語の抽出を基にして、類似度を計算する（ステップ１４）。図６（ｂ）には、双方向通信とＴＶ局Ａとの類似度の具体的な計算の一例が示されており、図７（ｂ）には、双方向通信とＴＶ局Ｂとの類似度の具体的な計算例が示されている。
【００５１】
双方向通信とＴＶ局Ａとの類似度の計算は以下のとおりである。図６（ｂ）に示すとおり、先ず、共通語として抽出された「ピッチャー」の持ち点が双方向通信で３点、ＴＶ局Ａで１点であることから、単語「ピッチャー」による類似度に対する寄与分を
３×１＝３点  として計算する。
【００５２】
同様、共通語として抽出された「ストライク」の持ち点が双方向通信で２点、ＴＶ局Ａで３点であることから、単語「ストライク」による類似度に対する寄与分を
２×３＝６点  として計算する。
【００５３】
そして、双方向通信とＴＶ局Ａとの総合的な類似度を、ピッチャー寄与分＋ストライク寄与分から求めることとして
３点＋６点＝９点  を得る。
【００５４】
詳細な説明は避けるが、同様にして図７（ｂ）に示すとおり、双方向通信とＴＶ局Ｂとの総合的な類似度を計算すると、共通語は「野球」の一語のみであり、最終的な類似度は２点となる。
【００５５】
既に説明したとおり、このような計算によってＴＶ局毎に得られた類似度を比較し、類似度が最大のＴＶ局を選択して、選択されたＴＶ局の類似度が閾値を越えているか否か判定されることになが、この場合は、ＴＶ局Ａから得られた得点「９点」が閾値と比較されることになる。
〔閾値の決定と閾値との比較、自動チューニング〕
類似度が低い場合、チャット等の双方向通信で盛り上がった話題に関するテレビ放送を放送しているチャンネルに選局されずに誤ったチャンネルに選局される恐れがある。従って、このような誤動作を防ぐため、類似度に所定の閾値を設けておき、類似度がこの閾値を越えている時にのみ、自動的に選局するようにしておくことが好ましい。
【００５６】
図８には、閾値を決定する１例が示されており、例えば、最大点数の半分としている。この場合、図６、図７に示した類似度の最大の点数は、
（３×３）＋（２×２）＋（１×１）＝１４  点
であり、例えば、閾値を、その半分１４／２＝７点  に設定する。
【００５７】
ＴＶ局Ａから得られた類似度は９点であり、この点は前記の閾値（７点）を超えているので、ＴＶ受信部２０は自動的にＴＶ局Ａにチューニングされることになる。
〔先行技術との比較〕
図９には、本願発明に従った場合のＴＶ受信機の動作と、先行技術に従った場合のＴＶ受信機の動作が比較して示されている。
【００５８】
図９において、９０は、ＴＶ実況サービスでの書込みの様子を示した表であり、ＴＶ局毎に具体的な書込み例が示されている。現在、ＴＶ局Ａが野球の実況中継を行っており、ＴＶ局Ｂが、台風が接近中であることを放送しているものとして、各ＴＶ局のＴＶ実況サービスには、表９０で示すとおりの書込みがあったものとする。そして、表９０から明らかなように、ＴＶ局ＢのＴＶ実況サービスへの書込みが一番多いことから、ＴＶ局Ｂが、一番盛り上がっていることが伺える。
【００５９】
９１は、先行技術に従った場合のＴＶ受信機９５の動作を示すものである。ＴＶ実況サービスでは、ＴＶ局Ｂが一番盛り上がっており、ある番組９２を視聴中のＴＶ受信機９５が、ＴＶ実況サービスからの情報を受けて、ＴＶ実況サービス内で最も盛り上がりのあるＴＶ局Ｂにチューニングされた場合の様子を示している。最初、ある番組９２を受信していたＴＶ受信機９５は、ＴＶ実況サービス９０からの情報を受けて、ＴＶ局Ｂに自動的にチューニングされる。９５’は、ＴＶ局Ｂに自動的にチューニングされ、台風に関する番組９３を受信しているＴＶ受信機を示している。
【００６０】
なお、９９は、双方向通信（チャット）での書込みの様子を示しており、チャット内では、野球に関する書込みが一番多い状態であることを示している。このチャットの様子はＴＶ受信機９５の画面に表示されていても良いが、表示されていなくとも良い。いずれにしても、先行技術の場合には、チャットでの盛り上がりとは無関係に、ＴＶ受信機９５はＴＶ局Ｂにチューニングされる。
【００６１】
９６は、本発明のＴＶ受信機制御システムを備えたＴＶ受信機９７の動作を示すものである。本発明のＴＶ受信機制御システムを備えたＴＶ受信機９７では、ある番組９２を視聴中のＴＶ受信機９７は、双方向通信（チャット）内で一番盛り上がっている話題（テーマ）と一番類似度が高いＴＶ局Ｂに自動的にチューニングされることになる。
【００６２】
既に説明したとおり、チャット内では野球に関する話題（テーマ）が一番盛り上がっているとすると、本発明のＴＶ受信機制御システムを備えたＴＶ受信機９７は、チャットからの情報を受けて、野球の実況中継をしているＴＶ局Ｂに自動的にチューニングされる。９７’は、ＴＶ局Ｂに自動的にチューニングされ、野球の実況中継番組９８を受信しているＴＶ受信機を示している。このチャットの様子はＴＶ受信機９７の画面に表示されていても良いが、表示されていなくとも良い。また、自動的にチューニングされることになったＴＶ局の名前、番組名等をＴＶ受信機９７の画面内に表示させても良い。更に、自動的にチューニングさせることになった番組を、全画面表示させることに代え、ピクチャ・イン・ピクチャ形式で副画面に表示するようにしても良い。
〔変形例１〕
以上に説明したＴＶ受信機制御システムでは、双方向通信において盛り上がっているテーマを、所定時間中に書込まれた単語の量を基に判断し、その盛り上がっているテーマと同じテーマの番組を放送しているＴＶ局に自動的にチューニングしている。
【００６３】
然しながら、視聴者は、一番盛り上がっている話題でなくとも、視聴者自身が興味を持っており、チャット等においてそれなりに盛り上がっている話題であれば、放送を視聴しながらチャットによって多くの人と情報交換・意見交換等を実現でき、十分に楽しむことができる。
【００６４】
そこで、チャットから得た情報を基に、書込みの多い単語を自動的に選ぶことに代えて、視聴者自身が、チャットの書込みを見ながら、自分の興味のある話題に関する単語を指定できるようにしてもよい。例えば、図９で説明したとおり、ＴＶ受信機９７の画面上にチャットの書込み状況９９を表示させた場合には、それなりに盛り上がっているテーマに関する単語を確認できることから、それらの単語を少なくとも１つ（複数個の選択も可能とする）自分で指定し、持ち点を付与することができるように構成する。
【００６５】
そして、視聴者が選んだ単語（複数個の単語を選択できる）と、ＴＶ実況サービスから得られた単語との類似度を計算して、最も類似度の高いＴＶ局の番組に、自動的にチューニングさせる。これによれば、視聴者自身が興味を持っている話題であって、それなりに盛り上がっていることを確認した話題を指定できるので、十分に楽しくテレビ視聴することができる。
〔変形例２〕
類似度を求める方法として、ＴＶ実況サービス及び双方向通信において書込まれた単語の内、同一の単語を抽出して比較し、計算する方法を示したが、同一の単語でなくとも意味的に同じような単語があった場合に、単語間の類似の度合い（程度）に応じて類似度に寄与させるように構成することもできる。
【００６６】
例えば、予め、単語について類似の度合いを示す辞書（シソーラス）を準備しておき、類似の単語が抽出された場合は、所定の係数（類似の度合いに応じて０．５〜０．１等）をかけて類似度に反映させる。これによれば、同一の単語の比較のみでは大きな類似度が得られにくいような場合にも比較的容易に高い類似度を効率的に得ることができる。
〔テレビ受信機制御プログラム〕
以上に説明したＴＶ受信機制御方法は、ＣＰＵ（Central Processing Unit）を用いたソフトウエアによって実現できる。第１のネットワーク処理部１２、第２のネットワーク処理部１３および類似度算出部１５を含むインターネット接続処理部１０、並びに自動選局処理部２５を含むＴＶ受信部２０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記憶媒体）等を備えている。本発明に係るプログラムは、図２、図５のフローチャートで示した各ステップの処理を行うように構成されており、図１等を参照して説明したとおりのＴＶ受信機制御方法を実現できる。
【００６７】
そして、本発明の目的は、上述した機能を実現するソフトウエアであるインターネット接続処理部１０の制御プログラムのプログラムコード（実行形式プログラム、中間コードプログラム、ソースプログラム）をコンピュータで読み取り可能に記録した記録媒体を、上記インターネット接続処理部１０に供給し、そのコンピュータ（またはＣＰＵやＭＰＵ）が記録媒体に記録されているプログラムコードを読出し実行することによっても、達成可能である。
【００６８】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＲ−Ｒ等の光ディスクを含むディスク類、ＩＣカード（メモリーカードを含む）／光カード等のカード類、マスクＲＯＭ／ＥＰＲＯＭ（登録商標）／フラッシュＲＯＭ等の半導体メモリ類、あるいはＰＬＤ（Programmable Logic Device）やＦＰＧＡ（Field Programmable Gate Array）等の論理回路網等を用いることができる。
【００６９】
また、インターネット接続処理部１０へのプログラムコードの供給を、通信ネットワークを介して行っても良い。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用線（Virtual Private Network）、電話回線網、移動体通信網、衛星通信網等が利用可能である。
【００７０】
また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Date Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
〔まとめ〕
本願の発明に係るテレビ受信機制御システムでは、
インターネットへのアクセスを行いインターネットから入手した情報を処理するインターネット接続処理部を備え、インターネットから得られた情報に従って受信するテレビ局を選局可能としたテレビ受信機制御システムであって、
前記インターネット接続処理部は、双方向通信からの情報を受信し整理する第１のネットワーク処理部と、テレビ実況サービスからのテレビ局毎の情報を受信し整理する第２のネットワーク処理部と、前記第１のネットワーク処理部から得られた情報と、前記第２のネットワーク処理部から得られたテレビ局毎の情報との類似度を算出する類似度算出部とを備え、
前記類似度算出部から出力される類似度によって受信するテレビ局を自動的に選局可能としたことを特徴としている。
【００７１】
このテレビ受信機制御システムによれば、ユーザー（視聴者）の操作を必要とせずに、双方向通信で話題になっており、従って広く世間一般で話題になっていると考えられるテーマについて放送しているＴＶ局に自動的に同調（チューニング）することができる。
【００７２】
双方向通信で話題になっている事項でも必ずしもＴＶ番組になっているとは限らないため、双方向通信の結果のみで自動選局（チューニング）すると、誤った番組に同調する可能性があったが、このテレビ受信機制御システムでは、特に、ＴＶ実況サービスからの情報（データ）を整理・分析し、この情報と双方向通信から得られた情報との類似度を見て選局しているため、誤ったＴＶ局を選局する確率は低く、効率的に所望のＴＶ局にチューニングすることができる。
【００７３】
双方向通信中のユーザーが、何らかの方法で、現在双方向通信中で話題となっているＴＶ番組の存在を知ったとしても、ＴＶ番組の視聴のためにはリモコン等の操作が必要であり、さらに、リモコン操作のためには、放送中のチャンネル、現在放送中か否か等の情報が必要であり、簡単に視聴することができないが、このテレビ受信機制御システムによれば、自動的に所望のＴＶ局に同調できる。
【００７４】
本願の発明に係る別のテレビ受信機制御システムでは、
前記第１のネットワーク処理部は、双方向通信において書込みのあった単語を使用頻度の高い順に整理して、使用頻度の高い順から所定数の単語を出力するものであり、
前記第２のネットワーク処理部は、テレビ実況サービスにおいてテレビ局毎に書込みのあった単語を使用頻度の高い順に整理して、使用頻度の高い順から所定数の単語を出力するものであり、
前記類似度算出部は、第１のネットワーク処理部から得られた所定数の単語と、第２のネットワーク処理部から得られたテレビ局毎の所定数の単語とを比較して、テレビ局毎に第１のネットワーク処理部から得られた所定数の単語との類似度を算出し、比較するものであることを特徴としている。
【００７５】
これによれば、単語を抽出して単語が同一か否かによって類似度を計算しており、比較的簡単なソフトウエアによって類似度の計算が可能であり、しかも的確な結果を得ることができる。
【００７６】
本願の発明に係る更に別のテレビ受信機制御システムでは、
前記第１のネットワーク処理部では、双方向通信において書込みのあった単語を使用頻度の高い順に整理して、使用頻度の高い順から所定数の単語を出力するものであり、
前記第２のネットワーク処理部では、テレビ実況サービスにおいてテレビ局毎に書込みのあった単語を使用頻度の高い順に整理して、使用頻度の高い順から所定数の単語を出力するものであり、
前記類似度算出部では、第１のネットワーク処理部から得られた所定数の単語の内、操作者によって指定された少なくとも１つの単語と、第２のネットワーク処理部から得られたテレビ局毎の所定数の単語とを比較して、テレビ局毎に第１のネットワーク処理部から得られた前記操作者によって指定された単語との類似度を算出し、比較するものであることを特徴としている。
【００７７】
これによれば、双方向通信でそれなりに盛り上がっているテーマ（話題）で、且つ視聴者（操作者）が興味のあるテーマを放送しているＴＶ局に自動的にチューニングできることになり、より楽しくテレビ視聴を行うことができる。
【００７８】
本願の発明に係る更に別のテレビ受信機制御システムでは、
前記第１のネットワーク処理部及び前記第２のネットワーク処理部では、書込みのあった単語の抽出を所定の時間毎に更新するものであることを特徴としている。
【００７９】
これによれば、常に最新の情報を反映したデータに基づいて自動チューニングを行わせることができる。最初に選択してチューニングした特定のＴＶ局で番組が終了し、新たな番組に変わった場合にも、ユーザー（視聴者）の手を煩わせることなく対応可能となる。更に、双方向通信内での話題の番組が変わったとしても、ユーサーの操作なしに追従が可能となる。
【００８０】
本願の発明に係る更に別のテレビ受信機制御システムでは、
前記類似度算出部によって得られた類似度に対して所定の閾値を設け、類似度が前記閾値以上の場合に受信する局の変更を行うことを特徴としている。
【００８１】
これによれば、類似度が低い場合の自動チューニング動作を禁止することができ、誤ったＴＶ局に自動的にチューニングする確率を大幅に減らすことができる。
【００８２】
本願の発明に係るテレビ受信機制御方法では、
インターネットへのアクセスを行いインターネットから入手した情報を処理するインターネット接続処理部を備え、インターネットから得られた情報に従って受信するテレビ局を選局可能としたテレビジョン受信機制御方法であって、
前記インターネット接続処理部は、双方向通信からの情報を受信し整理する第１のネットワーク処理部と、テレビ実況サービスからのテレビ局毎の情報を受信し整理する第２のネットワーク処理部と、前記第１のネットワーク処理部から得られた情報と、前記第２のネットワーク処理部から得られたテレビ局毎の情報との類似度を算出する類似度算出部とを備え、
前記類似度算出部から出力される類似度によって受信するテレビ局を自動的に選局可能としたことを特徴としている。
【００８３】
このテレビ受信機制御方法によれば、ユーザー（視聴者）の操作を必要とせずに、双方向通信で話題になっており、従って広く世間一般で話題になっていると考えられるテーマについて放送しているＴＶ局に自動的に同調（チューニング）することができる。
【００８４】
また、双方向通信で話題になっている事項でも必ずしもＴＶ番組になっているとは限らないため、双方向通信の結果のみで自動選局（チューニング）すると、誤った番組に同調する可能性があったが、このテレビ受信機制御方法では、特に、ＴＶ実況サービスからの情報（データ）を整理・分析し、この情報と双方向通信から得られた情報との類似度を見て選局しているため、誤ったＴＶ局を選局する確率は低く、効率的に所望のＴＶ局にチューニングすることができる。
【００８５】
更に、双方向通信中のユーザーが、何らかの方法で、現在双方向通信中で話題となっているＴＶ番組の存在を知ったとしても、ＴＶ番組の視聴のためにはリモコン等の操作が必要であり、さらに、リモコン操作のためには、放送中のチャンネル、現在放送中か否か等の情報が必要であり、簡単に視聴することができないが、このテレビ受信機制御方法によれば、自動的に所望のＴＶ局に同調できる。
【００８６】
本願の発明に係るテレビ受信機では、以上に述べたテレビ受信機制御システムを備えたテレビ受信機であることを特徴としている。
【００８７】
これによれば、ユーザー（視聴者）の操作を必要とせずに、双方向通信で話題になっており、従って広く世間一般で話題になっていると考えられるテーマについて放送しているＴＶ局に自動的に同調（チューニング）することができるＴＶ受信機を提供できる。
【００８８】
本願の発明に係る別のテレビ受信機では、双方向通信における書込み内容を、表示画面の一部に表示させることを特徴としている。
【００８９】
これによれば、ＴＶを視聴しながら双方向通信での話題をリアルタイムにチェックすることができる。従って、双方向通信から得られた単語を視聴者（ユーザー）が指定し、その指定された単語とテレビ実況サービスから得られた単語との類似性を算出して自動的に選局するテレビ受信機では、チャットの状況を見ながら、容易に所望の単語を選択することができ、視聴者自身でチャットを楽しみながら、より視聴者の好みに応じたＴＶ番組を楽しむことができる。
【００９０】
本願の発明に係るテレビ受信機制御プログラムでは、上述のテレビ受信機制御方法の各ステップを、コンピュータに実行させることができる。
【００９１】
これによれば、ＣＰＵ、ＲＯＭ、ＲＡＭ、その他のＨＤＤ等の記録装置を備えることで容易に上述のテレビ受信機制御方法を実行できるテレビ受信機を提供できる。
【産業上の利用可能性】
【００９２】
本発明に係るＴＶ受信機制御システムによれば、世間一般で最も盛り上がっている話題（テーマ）に関するＴＶ局に自動的にチューニングすることができるより高機能なＴＶ受信機を実現することができるものであり、産業上の利用可能性は高い。
【符号の説明】
【００９３】
１  本発明に従ったＴＶ受信機
１０  インターネット接続処理部
１１  ネットワーク接続部
１２  第１のネットワーク処理部（双方向通信）
１３  第２のネットワーク処理部（ＴＶ実況サービス）
１４  記憶部
１５  類似度算出部
２０  ＴＶ受信部
２１  チュナー部
２２  映像・音声デコード部
２３  映像・音声処理部
２４  パネル・スピーカ出力部
２５  自動選局処理部
３０  ネットワーク
３１  パーソナルコンピュータ（ＰＣ）
３２  携帯端末
３３  ＴＶ
９０  ＴＶ実況サービスの内容を示す表
９１  従来のＴＶ受信機の動作例
９２、９３、９８  テレビ番組
９６  本発明に従ったＴＶ受信機の動作例
９７  本発明に従ったＴＶ受信機
９９  チャットの内容
【図１】
2014053744.tif 000003
【図２】
2014053744.tif 000004
【図３】
2014053744.tif 000005
【図４】
2014053744.tif 000006
【図５】
2014053744.tif 000007
【図６】
2014053744.tif 000008
【図７】
2014053744.tif 000009
【図８】
2014053744.tif 000010
【図９】
2014053744.tif 000011
【図１０】
2014053744.tif 000012
【図１１】
2014053744.tif 000013
【図１２】
2014053744.tif 000014